(57)【要約】 【課題】使用機種の検索に要する時間を短縮可能な情報処理装置およびプログラムを提供する。【解決手段】本発明の情報処理装置１は、第１記憶部１０と検索部３０とを備える。第１記憶部１０は、上位部品と、下位部品と、下位部品の数とが対応付けられた複数の単位情報により製品の部品構成を表現可能な部品構成データを展開して得られるデータであって、製品に含まれる部品ごとに、部品を識別する部品情報と、部品の数を示す部品数と、製品を識別する製品情報とが対応付けられたレコード情報が設定された台帳データを記憶する。検索部３０は、台帳データを用いて、指定された部品が含まれる製品を検索する。【選択図】図１
2014056432.tif 000002
【特許請求の範囲】
【請求項１】
上位部品と、前記上位部品を構成する下位部品と、前記下位部品の数とが対応付けられた複数の単位情報により製品の部品構成を表現可能な部品構成データを展開して得られるデータであって、前記製品に含まれる部品ごとに、前記部品を識別する部品情報と、前記部品の数を示す部品数と、前記製品を識別する製品情報とが対応付けられたレコード情報が設定された台帳データを記憶する第１記憶部と、
前記台帳データを用いて、指定された部品が含まれる前記製品を検索する検索部と、を備える、
情報処理装置。
【請求項２】
前記部品構成データを記憶する第２記憶部と、
前記製品に使用される部品が新たに追加された場合、前記部品構成データを更新する第１更新部と、
前記第１更新部により更新された前記部品構成データを元に、前記台帳データを更新する第２更新部と、をさらに備える、
請求項１の情報処理装置。
【請求項３】
前記第１更新部は、新たに追加された部品に対応する前記単位情報を追加して、前記部品構成データを更新し、
前記第２更新部は、
前記第１更新部により更新された前記部品構成データを元に、新たに追加された部品に対応するレコード情報を生成する生成部と、
既存の前記台帳データのうち、新たに追加された部品と同一の部品に対応するレコード情報に含まれる部品数と、前記生成部により生成されたレコード情報に含まれる部品数との加算を行って、既存の前記台帳データのうち、新たに追加された部品と同一の部品に対応するレコード情報と、前記生成部により生成されたレコード情報とを組み合わせたレコード情報を設定する第１設定部と、
既存の前記台帳データのうち、新たに追加された部品と同一の部品に対応するレコード情報を無効に設定する第２設定部と、を有する、
請求項２の情報処理装置。
【請求項４】
前記部品構成データを記憶する第２記憶部と、
前記製品に使用される何れかの部品の部品数が変更された場合、前記部品構成データを更新する第１更新部と、
前記第１更新部により更新された前記部品構成データを元に、前記台帳データを更新する第２更新部と、をさらに備える、
請求項１の情報処理装置。
【請求項５】
前記第１更新部は、部品数が変更された後の部品に対応する前記単位情報を追加するとともに、既存の前記部品構成データのうち、部品数が変更される前の部品に対応する前記単位情報を無効に設定して前記部品構成データを更新し、
前記第２更新部は、
前記第１更新部により更新された前記部品構成データを元に、部品数が変更された後の部品に対応する第１レコード情報と、部品数が変更される前の部品に対応する第２レコード情報とを生成する生成部と、
前記第１レコード情報に含まれる部品数と、前記第２レコード情報に含まれる部品数との減算結果を、既存の前記台帳データのうち、部品数が変更される部品と同一の部品に対応する第３レコード情報に含まれる部品数に加算して、前記第１レコード情報と前記第２レコード情報と前記第３レコード情報とを組み合わせたレコード情報を設定する第１設定部と、
前記第３レコード情報を無効に設定する第２設定部と、を有する、
請求項４の情報処理装置。
【請求項６】
前記部品構成データを記憶する第２記憶部と、
前記製品に使用される何れかの部品が削除された場合、前記部品構成データを更新する第１更新部と、
前記第１更新部により更新された前記部品構成データを元に、前記台帳データを更新する第２更新部と、をさらに備える、
請求項１の情報処理装置。
【請求項７】
前記第１更新部は、削除された部品に対応する前記単位情報を無効に設定して前記部品構成データを更新し、
前記第２更新部は、
前記第１更新部により更新された前記部品構成データを元に、削除された部品に対応するレコード情報を生成する生成部と、
既存の前記台帳データのうち、削除された部品と同一の部品に対応するレコード情報に含まれる部品数と、前記生成部により生成されたレコード情報に含まれる部品数との減算を行って、既存の前記台帳データのうち、削除された部品と同一の部品に対応するレコード情報と、前記生成部により生成されたレコード情報とを組み合わせたレコード情報を設定する第１設定部と、
既存の前記台帳データのうち、削除された部品と同一の部品に対応するレコード情報を無効に設定する第２設定部と、を有する、
請求項６の情報処理装置。
【請求項８】
コンピュータに、
上位部品と、前記上位部品を構成する下位部品と、前記下位部品の数とが対応付けられた複数の単位情報により製品の部品構成を表現可能な部品構成データを展開して得られるデータであって、前記製品に含まれる部品ごとに、前記部品を識別する部品情報と、前記部品の数を示す部品数と、前記製品を識別する製品情報とが対応付けられたレコード情報が設定された台帳データを記憶する記憶部に記憶された前記台帳データを用いて、指定された部品が含まれる前記製品を検索する検索ステップを実行させるためのプログラム。
【発明の詳細な説明】
【技術分野】
【０００１】
本発明は、情報処理装置およびプログラムに関する。
【背景技術】
【０００２】
従来、上位部品と下位部品を関連付けて記録した部品構成データを用いて、指定した部品が使用される製品（使用機種）を検索する技術が知られている（例えば特許文献１参照）。
【発明の概要】
【発明が解決しようとする課題】
【０００３】
しかしながら、従来技術では、部品構成データを展開して、指定した部品から使用機種までをたどっていく必要があるため、使用機種の検索に長時間を要するという問題がある。本発明は、上記に鑑みてなされたものであって、使用機種の検索に要する時間を短縮可能な情報処理装置およびプログラムを提供することを目的とする。
【課題を解決するための手段】
【０００４】
上述した課題を解決し、目的を達成するために、本発明は、上位部品と、前記上位部品を構成する下位部品と、前記下位部品の数とが対応付けられた複数の単位情報により製品の部品構成を表現可能な部品構成データを展開して得られるデータであって、前記製品に含まれる部品ごとに、前記部品を識別する部品情報と、前記部品の数を示す部品数と、前記製品を識別する製品情報とが対応付けられたレコード情報が設定された台帳データを記憶する第１記憶部と、前記台帳データを用いて、指定された部品が含まれる前記製品を検索する検索部と、を備える情報処理装置である。
【０００５】
また、本発明は、コンピュータに、上位部品と、前記上位部品を構成する下位部品と、前記下位部品の数とが対応付けられた複数の単位情報により製品の部品構成を表現可能な部品構成データを展開して得られるデータであって、前記製品に含まれる部品ごとに、前記部品を識別する部品情報と、前記部品の数を示す部品数と、前記製品を識別する製品情報とが対応付けられたレコード情報が設定された台帳データを記憶する記憶部に記憶された前記台帳データを用いて、指定された部品が含まれる前記製品を検索する検索ステップを実行させるためのプログラムである。
【発明の効果】
【０００６】
本発明によれば、使用機種の検索に要する時間を短縮できる。
【図面の簡単な説明】
【０００７】
【図１】図１は、実施形態の情報処理装置の機能構成例を示す図である。
【図２】図２は、コンポーネントリストの一例を示す図である。
【図３】図３は、部品構成データの一例を示す図である。
【図４】図４は、台帳データの一例を示す図である。
【図５】図５は、第２更新部の詳細な機能構成例を示す図である。
【図６】図６は、新たに部品が追加された場合のコンポーネントリストの一例を示す図である。
【図７】図７は、新たに部品が追加された場合の部品構成データの一例を示す図である。
【図８】図８は、Ｅ／Ｆの一例を示す図である。
【図９】図９は、新たに追加された部品の親部品に対応するレコード情報の一例を示す図である。
【図１０】図１０は、新たに追加された部品に対応するレコード情報の一例を示す図である。
【図１１】図１１は、既存の台帳データのうち、新たに追加された部品と同一の部品に対応するレコード情報の一例を示す図である。
【図１２】図１２は、既存の台帳データのうち、新たに追加された部品と同一の部品に対応するレコード情報と、生成部により生成されたレコード情報とを組み合わせたレコード情報の一例を示す図である。
【図１３】図１３は、既存の台帳データのうち、新たに追加された部品と同一の部品に対応するレコード情報の一例を示す図である。
【図１４】図１４は、新たに部品が追加された後の台帳データの一例を示す図である。
【図１５】図１５は、部品の部品数が変更された場合のコンポーネントリストの一例を示す図である。
【図１６】図１６は、部品の部品数が変更された場合の部品構成データの一例を示す図である。
【図１７】図１７は、部品数が変更される前の部品の親子関係を展開したＥ／Ｆの一例を示す図である。
【図１８】図１８は、部品数が変更された後の部品の親子関係を展開したＥ／Ｆの一例を示す図である。
【図１９】図１９は、部品数が変更された後の部品の親部品に対応するレコード情報の一例を示す図である。
【図２０】図２０は、第１レコード情報の一例を示す図である。
【図２１】図２１は、第２レコード情報の一例を示す図である。
【図２２】図２２は、第３レコード情報の一例を示す図である。
【図２３】図２３は、第１レコード情報と第２レコード情報と第３レコード情報とを組み合わせたレコード情報の一例を示す図である。
【図２４】図２４は、無効に設定された第３レコード情報の一例を示す図である。
【図２５】図２５は、部品の部品数が変更された後の台帳データの一例を示す図である。
【図２６】図２６は、部品が削除された場合のコンポーネントリストの一例を示す図である。
【図２７】図２７は、部品が削除された場合の部品構成データの一例を示す図である。
【図２８】図２８は、削除された部品の親子関係を展開したＥ／Ｆの一例を示す図である。
【図２９】図２９は、削除された部品の親部品に対応するレコード情報の一例を示す図である。
【図３０】図３０は、削除された部品に対応するレコード情報の一例を示す図である。
【図３１】図３１は、既存の台帳データのうち、削除された部品と同一の部品に対応するレコード情報の一例を示す図である。
【図３２】図３２は、既存の台帳データのうち、削除された部品と同一の部品に対応するレコード情報と、生成部により生成されたレコード情報とを組み合わせたレコード情報の一例を示す図である。
【図３３】図３３は、既存の台帳データのうち、無効に設定されるレコード情報の一例を示す図である。
【図３４】図３４は、部品が削除された後の台帳データの一例を示す図である。
【発明を実施するための形態】
【０００８】
以下、添付図面を参照しながら、本発明に係る情報処理装置およびプログラムの実施の形態を詳細に説明する。
【０００９】
図１は、本実施形態の情報処理装置１の機能構成例を示す図である。図１に示すように、情報処理装置１は、第１記憶部１０と、第２記憶部２０と、検索部３０と、第１更新部４０と、第２更新部５０とを備える。
【００１０】
第１記憶部１０は、台帳データを記憶する。台帳データとは、部品構成データを展開して得られるデータであって、製品に含まれる部品ごとに、部品を識別する部品情報と、部品の部品数と、製品を識別する製品情報とが対応付けられたレコード情報が設定されたデータ構造を有する。また、部品構成データとは、それぞれが、上位部品と、上位部品を構成する下位部品と、下位部品の部品数とが対応付けられた複数の単位情報を含み、複数の単位情報により製品の部品構成を表現可能なデータ構造を有する。第２記憶部２０は、部品構成データを記憶する。
【００１１】
以下、部品構成データおよび台帳データについて具体的に説明する。図２は、ある製品Ｓ１の階層構造を示すコンポーネントリストである。図２の例では、製品Ｓ１は、２個の部品Ａと、１個の部品Ｂと、２個の部品Ｃとから構成される。つまり、部品Ａ、部品Ｂおよび部品Ｃは、製品Ｓ１を親部品（上位部品）とする子部品（下位部品）である。また、この例では、部品Ａと部品Ｂは手配部品である。手配部品とは、仕入先（外部）から納入される部品を指す。
【００１２】
また、部品Ａは、１個の部品Ｄと１個の部品Ｅとから構成される。つまり、部品Ｄおよび部品Ｅは、部品Ａを親部品とする子部品である。また、部品Ｂは、２個の部品Ｅと１個の部品Ｆとから構成される。つまり、部品Ｅおよび部品Ｆは、部品Ｂを親部品とする子部品である。
【００１３】
さらに、部品Ｃは、２個の部品Ｆと２個の部品Ｇとから構成される。つまり、部品Ｆおよび部品Ｇは、部品Ｃを親部品とする子部品である。この例では、部品Ｆおよび部品Ｇは手配部品である。また、部品Ｇは、２個の部品Ｄと１個の部品Ｈとから構成される。つまり、部品Ｄおよび部品Ｈは、部品Ｇを親部品とする子部品である。
【００１４】
図２に示すコンポーネントリストは、図３に示す部品構成データに書き直すことができる。図３に示すように、部品構成データは、それぞれが、上位部品（親部品）と、上位部品を構成する下位部品（子部品）と、下位部品の部品数（使用個数）とが対応付けられた複数の単位情報を含み、複数の単位情報により製品Ｓ１の部品構成を表現可能なデータ構造を有する。
【００１５】
図３に示す部品構成データを展開することにより、製品Ｓ１に含まれる部品ごとに、部品を識別する部品情報と、部品の部品数（使用個数）と、製品Ｓ１を識別する製品情報とが対応付けられたレコード情報が設定された台帳データを作成することができる。より具体的には、部品構成データから、製品（機種）Ｓ１と子、製品Ｓ１と孫、製品Ｓ１とひ孫、・・・の関係のデータにばらしながら、部品ごとに使用個数の足し算を行うことで、図４に示す台帳データが得られる。
【００１６】
なお、図４に示す台帳データは、デフォルトの台帳データであるとする。デフォルトの台帳データが作成された場合、各レコード情報には、デフォルトの台帳データが生成されたタイミングを示す情報として、発生ＥＣＮ「１０」が設定される。また、各レコード情報には、手配部品か否かを識別可能な手配情報が含まれ、当該レコード情報に対応する部品が手配部品である場合は、当該レコード情報に含まれる手配情報は「なし（ブランク）」に設定される。また、レコード情報に対応する部品が、手配部品ではなく、かつ、製品Ｓ１を親部品とする子部品である場合は、当該レコード情報に含まれる手配情報は「＝＝」に設定される。さらに、レコード情報に対応する部品が、手配部品ではなく、かつ、製品Ｓ１に含まれる部品を親部品とする子部品である場合は、当該レコード情報に含まれる手配情報は「（）」に設定される。ここでは、部品の種別が同じであっても、手配情報が異なれば、別のレコード情報として設定される（つまり、別部品として管理される）。
【００１７】
本実施形態の情報処理装置１は、バッチ処理にて、予め台帳データを作成して第１記憶部１０に保存する。つまり、情報処理装置１は、第２記憶部２０に記憶された部品構成データを展開して台帳データを生成する機能を有しているが、これに限られるものではない。例えばユーザや外部のサーバ装置などが、第２記憶部２０に記憶された部品構成データを展開して台帳データを作成し、作成した台帳データを予め第１記憶部１０に書き込んでおく形態であってもよい。要するに、部品構成データを展開して得られる台帳データが予め第１記憶部１０に格納されている形態であればよい。
【００１８】
再び図１に戻って説明を続ける。検索部３０は、第１記憶部１０に格納された台帳データを用いて、指定された部品が含まれる製品（使用機種）を検索する。より具体的には、検索部３０は、使用機種を検索したい部品を識別する部品情報を受け付けた場合、その受け付けた部品情報に対応する製品情報を、第１記憶部１０に格納された台帳データから読み出すことで、指定された部品の使用機種を検索する。本実施形態では、製品に含まれる部品ごとに、部品を識別する部品情報と、部品の部品数（使用個数）と、製品を識別する製品情報とが対応付けられたレコード情報が設定された台帳データが、予め第１記憶部１０に格納されているので、台帳データを参照すれば、指定された部品に対応する製品（使用機種）を直ちに検索することができる。したがって、本実施形態によれば、部品構成データを展開して、指定された部品から使用機種までをたどっていく従来の構成に比べて、使用機種の検索に要する時間を短縮できるという有利な効果を奏する。
【００１９】
第１更新部４０は、製品に使用される部品が新たに追加された場合、部品構成データを更新する。より具体的には、第１更新部４０は、新たに追加された部品に対応する単位情報を追加して、部品構成データを更新する。この具体的な内容については後述する。
【００２０】
第２更新部５０は、第１更新部４０により更新された部品構成データを元に、台帳データを更新する。図５は、第２更新部５０の詳細な機能構成例を示す図である。図５に示すように、第２更新部５０は、生成部５１と、第１設定部５２と、第２設定部５３とを有する。生成部５１は、第１更新部４０により更新された部品構成データを元に、新たに追加された部品に対応するレコード情報を生成する。第１設定部５２は、既存の台帳データ（現時点で第１記憶部１０に記憶されている台帳データ）のうち、新たに追加された部品と同一の部品に対応するレコード情報に含まれる部品数（使用個数）と、生成部５１により生成されたレコード情報に含まれる部品数との加算を行って、既存の台帳データのうち、新たに追加された部品と同一の部品に対応するレコード情報と、生成部５１により生成されたレコード情報とを組み合わせたレコード情報を設定する。第２設定部５３は、既存の台帳データのうち、新たに追加された部品と同一の部品に対応するレコード情報を無効に設定する。第２更新部５０のより具体的な内容については後述する。
【００２１】
いま、図６に示すように、デフォルトの状態から、部品Ｃに子部品Ｂが追加された場合を想定する。この場合、図７に示すように、第１更新部４０は、新たに追加された部品Ｂに対応する単位情報を追加して、部品構成データを更新する。図７の例では、新たに追加された部品Ｂに対応する単位情報には、単位情報を新たに追加する更新を行ったタイミングを示す情報として、発生ＥＣＮ「２０」が設定される。
【００２２】
次に、生成部５１は、第１更新部４０により更新された部品構成データを元に、新たに追加された部品（部品Ｂ、部品Ｂを構成する子部品Ｅおよび子部品Ｆ）に対応するレコード情報を生成する。本実施形態では、生成部５１は、図７に例示された部品構成データを元に、新規に追加された部品の親子関係を展開したファイル（Ｅ／Ｆ：Explosion  File）を生成する（図８参照）。そして、新たに追加された部品（部品Ｂ、部品Ｂを構成する部品Ｅおよび部品Ｆ）の個数を求めるために、新たに追加された部品の最上位の部品Ｂの親部品である部品Ｃに対応するレコード情報を、既存の台帳データから抽出し（図９参照）、その抽出したレコード情報に含まれる部品Ｃの部品数を用いて、新たに追加された各部品の個数を算出する。図９の例では、製品Ｓ１に対する部品Ｃの部品数は２個である。また、図８のＥ／Ｆより、親部品Ｃに対する子部品Ｂの部品数は１個であるので、新たに追加された部品Ｂの部品数は、１×２＝２個と計算できる。同様に、図８のＥ／Ｆより、親部品Ｂに対する子部品Ｅの部品数は２個であるので、新たに追加された部品Ｅの部品数は、２×２＝４個と計算できる。同様に、図８のＥ／Ｆより、親部品Ｂに対する子部品Ｆの部品数は１個であるので、新たに追加された部品Ｆの部品数は、２×１＝２個と計算できる。
【００２３】
そして、生成部５１は、新たに追加された部品に対応するレコード情報を生成する。図１０に示すように、生成部５１は、新たに追加された部品Ｂに対応するレコード情報（部品Ｂを識別する部品情報と、製品Ｓ１を識別する製品情報と、部品Ｂの使用個数「２」とが対応付けられた情報）と、新たに追加された子部品Ｅに対応するレコード情報（部品Ｅを識別する部品情報と、製品Ｓ１を識別する製品情報と、部品Ｅの使用個数「４」とが対応付けられた情報）と、新たに追加された子部品Ｆに対応するレコード情報（部品Ｆを識別する部品情報と、製品Ｓ１を識別する製品情報と、部品Ｆの使用個数「２」と、が対応付けられた情報）と、を生成する。
【００２４】
次に、第１設定部５２は、既存の台帳データのうち、新たに追加された部品と同一の部品に対応するレコード情報に含まれる部品数と、生成部５１により生成されたレコード情報に含まれる部品数との加算を行って、既存の台帳データのうち、新たに追加された部品と同一の部品に対応するレコード情報と、生成部５１により生成されたレコード情報とを組み合わせたレコード情報を設定する。図１１は、既存の台帳データのうち、新たに追加された部品と同一の部品である部品Ｂ、部品Ｅおよび部品Ｆ（この例では手配部品ではない部品Ｆ）の各々に対応するレコード情報を示す図である。第１設定部５２は、既存の台帳データのうち、新たに追加された部品と同一の部品である部品Ｂに対応するレコード情報に含まれる部品数「１」と、生成部５１により生成された部品Ｂに対応するレコード情報に含まれる部品数「２」とを加算し、両者を組み合わせた部品Ｂに対応するレコード情報を設定する（図１２参照）。
【００２５】
同様に、第１設定部５２は、既存の台帳データのうち、新たに追加された部品と同一の部品である部品Ｅに対応するレコード情報に含まれる部品数「４」と、生成部５１により生成された部品Ｅに対応するレコード情報に含まれる部品数「４」とを加算し、両者を組み合わせた部品Ｅに対応するレコード情報を設定する（図１２参照）。同様に、第１設定部５２は、既存の台帳データのうち、新たに追加された部品と同一の部品である部品Ｆ（手配部品ではない部品Ｆ）に対応するレコード情報に含まれる部品数「２」と、生成部５１により生成された部品Ｆに対応するレコード情報に含まれる部品数「２」とを加算し、両者を組み合わせた部品Ｆに対応するレコード情報を設定する（図１２参照）。図１２の例では、第１設定部５２により設定された各レコード情報には、レコード情報を新たに追加する更新を行ったタイミングを示す情報として、発生ＥＣＮ「２０」が設定される。
【００２６】
また、第２設定部５３は、既存の台帳データのうち、新たに追加された部品と同一の部品に対応するレコード情報を無効に設定する。より具体的には、図１３に示すように、既存の台帳データのうち、新たに追加された部品と同一の部品である部品Ｂに対応するレコード情報、部品Ｅに対応するレコード情報、および、部品Ｆ（手配部品ではない部品Ｆ）に対応するレコード情報の各々に対して、打切ＥＣＮ「２０」が設定されることにより、部品Ｂに対応するレコード情報、部品Ｅに対応するレコード情報、および、部品Ｆに対応するレコード情報の各々が無効に設定される。この例では、各レコード情報に設定される打切ＥＣＮは、当該レコード情報が無効か有効かを表す情報であり、数値が設定された打切ＥＣＮは、当該打切ＥＣＮを含むレコード情報が無効であることを表す。この例では、打切ＥＣＮに設定される数値は、対応するレコード情報が無効にされたタイミングを示す情報となる。以上より、第２更新部５０による更新後の台帳データは、図１４のようになる。
【００２７】
次に、部品の部品数が変更される場合の第１更新部４０および第２更新部５０の機能について説明する。第１更新部４０は、製品に使用される何れかの部品の部品数が変更された場合、部品構成データを更新する。より具体的には、第１更新部４０は、部品数が変更された後の部品に対応する単位情報を追加するとともに、既存の部品構成データのうち、部品数が変更される前の部品に対応する単位情報を無効に設定して部品構成データを更新する。この具体的な内容については後述する。
【００２８】
第２更新部５０の生成部５１は、第１更新部４０により更新された部品構成データを元に、部品数が変更された後の部品に対応する第１レコード情報と、部品数が変更される前の部品に対応する第２レコード情報とを生成する。また、第２更新部５０の第１設定部５２は、第１レコード情報に含まれる部品数と、第２レコード情報に含まれる部品数との減算結果を、既存の前記台帳データのうち、部品数が変更される部品と同一の部品に対応する第３レコード情報に含まれる部品数に加算して、第１レコード情報と第２レコード情報と第３レコード情報とを組み合わせたレコード情報を設定する。さらに、第２更新部５０の第２設定部５３は、既存の台帳データのうち、上述の第３レコード情報を無効に設定する。
【００２９】
いま、図１５に示すように、図６の状態から、追加された子部品Ｂの部品数（使用個数）が１個から２個に変更された場合を想定する。この場合、図１６に示すように、第１更新部４０は、部品数が変更された後の部品Ｂに対応する新たな単位情報Ｘ１を追加するとともに、既存の部品構成データ（この例では図７に示す部品構成データ）のうち、部品数が変更される前の部品Ｂに対応する単位情報Ｘ２を無効に設定する。図１６の例では、新たに追加された単位情報Ｘ１に対しては、単位情報を新たに追加する更新を行ったタイミングを示す情報として、発生ＥＣＮ「３０」が設定される。また、単位情報Ｘ２に対しては、当該単位情報Ｘ２が無効であることを示す情報として、打切ＥＣＮ「３０」が設定される。
【００３０】
次に、生成部５１は、第１更新部４０により更新された部品構成データを元に、部品数が変更された後の部品に対応する第１レコード情報と、部品数が変更される前の部品に対応する第２レコード情報を生成する。より具体的には以下のとおりである。本実施形態では、まず生成部５１は、図１６に例示された部品構成データを元に、打切ＥＣＮ「３０」が設定された部品（部品数が変更される前の部品）の親子関係を展開したＥ／Ｆ（図１７参照）と、発生ＥＣＮ「３０」が設定された部品（部品数が変更された後の部品）の親子関係を展開したＥ／Ｆ（図１８参照）とを生成する。そして、部品数が変更された後の部品（部品Ｂ、部品Ｂを構成する部品Ｅおよび部品Ｆ）の個数を求めるために、部品数が変更された後の部品の最上位の部品Ｂの親部品である部品Ｃに対応するレコード情報を、既存の台帳データから抽出し（図１９参照）、その抽出したレコード情報に含まれる部品Ｃの部品数を用いて、部品数が変更された後の各部品の個数を算出する。図１９の例では、製品Ｓ１に対する部品Ｃの部品数は２個である。また、図１８のＥ／Ｆより、親部品Ｃに対する子部品Ｂの部品数は２個であるので、部品数が変更された後の部品Ｂの部品数は、２×２＝４個と計算できる。同様に、図１８のＥ／Ｆより、親部品Ｂに対する子部品Ｅの部品数は２個であるので、部品数が変更された後の部品Ｅの部品数は、４×２＝８個と計算できる。同様に、図１８のＥ／Ｆより、親部品Ｂに対する子部品Ｆの部品数は１個であるので、部品数が変更された後の部品Ｆの部品数は、４×１＝４個と計算できる。
【００３１】
また、生成部５１は、部品数が変更される前の各部品の個数を算出する。図１９の例では、製品Ｓ１に対する部品Ｃの部品数は２個である。また、図１７のＥ／Ｆより、親部品Ｃに対する子部品Ｂの部品数は１個であるので、部品数が変更される前の部品Ｂの部品数は、２×１＝２個と計算できる。同様に、図１７のＥ／Ｆより、親部品Ｂに対する子部品Ｅの部品数は２個であるので、部品数が変更される前の部品Ｅの部品数は、２×２＝４個と計算できる。同様に、図１７のＥ／Ｆより、親部品Ｂに対する子部品Ｆの部品数は１個であるので、部品数が変更される前の部品Ｆの部品数は、２×１＝２個と計算できる。
【００３２】
そして、生成部５１は、部品数が変更された後の部品に対応する第１レコード情報を生成する。図２０に示すように、生成部５１は、部品数が変更された後の部品Ｂに対応するレコード情報（部品Ｂを識別する部品情報と、製品Ｓ１を識別する製品情報と、部品Ｂの使用個数「４」とが対応付けられた情報）と、子部品Ｅに対応するレコード情報（部品Ｅを識別する部品情報と、製品Ｓ１を識別する製品情報と、部品Ｅの使用個数「８」とが対応付けられた情報）と、子部品Ｆに対応するレコード情報（部品Ｆを識別する部品情報と、製品Ｓ１を識別する製品情報と、部品Ｆの使用個数「４」と、が対応付けられた情報）と、を生成する。
【００３３】
また、生成部５１は、部品数が変更される前の部品に対応する第２レコード情報を生成する。図２１に示すように、生成部５１は、部品数が変更されたる前の部品Ｂに対応するレコード情報（部品Ｂを識別する部品情報と、製品Ｓ１を識別する製品情報と、部品Ｂの使用個数「２」とが対応付けられた情報）と、子部品Ｅに対応するレコード情報（部品Ｅを識別する部品情報と、製品Ｓ１を識別する製品情報と、部品Ｅの使用個数「４」とが対応付けられた情報）と、子部品Ｆに対応するレコード情報（部品Ｆを識別する部品情報と、製品Ｓ１を識別する製品情報と、部品Ｆの使用個数「２」と、が対応付けられた情報）と、を生成する。
【００３４】
次に、第１設定部５２は、第１レコード情報に含まれる部品数と、第２レコード情報に含まれる部品数との減算結果を、既存の台帳データのうち、部品数が変更される部品と同一の部品に対応する第３レコード情報に含まれる部品数に加算して、第１レコード情報と第２レコード情報と第３レコード情報とを組み合わせたレコード情報を設定する。図２２は、既存の台帳データのうち、部品数が変更される部品と同一の部品に対応する第３レコード情報を示す図である。第１設定部５２は、部品Ｂに対応する第１レコード情報に含まれる部品数「４」（図２０参照）と、部品Ｂに対応する第２レコード情報に含まれる部品数「２」との減算結果（＝２）を、部品Ｂに対応する第３レコード情報に含まれる部品数「３」に加算して、第１レコード情報と第２レコード情報と第３レコード情報とを組み合わせたレコード情報を設定する（図２３参照）。
【００３５】
同様に、第１設定部５２は、部品Ｅに対応する第１レコード情報に含まれる部品数「８」（図２０参照）と、部品Ｅに対応する第２レコード情報に含まれる部品数「４」との減算結果（＝４）を、部品Ｂに対応する第３レコード情報に含まれる部品数「８」に加算して、第１レコード情報と第２レコード情報と第３レコード情報とを組み合わせたレコード情報を設定する（図２３参照）。同様に、第１設定部５２は、部品Ｆに対応する第１レコード情報に含まれる部品数「４」（図２０参照）と、部品Ｆに対応する第２レコード情報に含まれる部品数「２」との減算結果（＝２）を、部品Ｆに対応する第３レコード情報に含まれる部品数「４」に加算して、第１レコード情報と第２レコード情報と第３レコード情報とを組み合わせたレコード情報を設定する（図２３参照）。図２３の例では、第１設定部５２により設定された各レコード情報には、レコード情報を新たに追加する更新を行ったタイミングを示す情報として、発生ＥＣＮ「３０」が設定される。
【００３６】
また、第２設定部５３は、既存の台帳データのうち上述の第３レコード情報を無効に設定する。より具体的には、図２４に示すように、既存の台帳データのうち、部品数が変更された部品と同一の部品である部品Ｂに対応するレコード情報、部品Ｅに対応するレコード情報、および、部品Ｆに対応するレコード情報の各々に対して、打切ＥＣＮ「３０」が設定される。以上より、第２更新部５０による更新後の台帳データは、図２５のようになる。
【００３７】
次に、部品が削除される場合の第１更新部４０および第２更新部５０の機能について説明する。第１更新部４０は、製品に使用される何れかの部品が削除された場合、部品構成データを更新する。より具体的には、第１更新部４０は、削除された部品に対応する単位情報を無効に設定して部品構成データを更新する。この具体的な内容については後述する。
【００３８】
第２更新部５０の生成部５１は、第１更新部４０により更新された部品構成データを元に、削除された部品に対応するレコード情報を生成する。また、第２更新部５０の第１設定部５２は、既存の台帳データのうち、削除された部品と同一の部品に対応するレコード情報に含まれる部品数と、生成部５１により生成されたレコード情報に含まれる部品数との減算を行って、既存の台帳データのうち、削除された部品と同一の部品に対応するレコード情報と、生成部５１により生成されたレコード情報とを組み合わせたレコード情報を設定する。さらに、第２更新部５０の第２設定部５３は、既存の台帳データのうち、削除された部品と同一の部品に対応するレコード情報を無効に設定する。
【００３９】
いま、図２６に示すように、図１５の状態から、部品Ｃの子部品Ｇが削除された場合を想定する。この場合、図２７に示すように、第１更新部４０は、削除された部品に対応する単位情報Ｘ３を無効に設定する。ここでは、単位情報Ｘ３に対しては、当該単位情報Ｘ３が無効であることを示す情報として、打切ＥＣＮ「４０」が設定される。
【００４０】
次に、生成部５１は、第１更新部４０により更新された部品構成データを元に、削除された部品（部品Ｇ、部品Ｇを構成する部品Ｄおよび部品Ｈ）に対応するレコード情報を生成する。本実施形態では、生成部５１は、図２７に例示された部品構成データを元に、削除された部品の親子関係を展開したＥ／Ｆを生成する（図２８参照）。そして、削除された部品（部品Ｇ、部品Ｇを構成する部品Ｄおよび部品Ｈ）の個数を求めるために、削除された部品の最上位の部品Ｇの親部品である部品Ｃに対応するレコード情報を、既存の台帳データから抽出し（図２９参照）、その抽出したレコード情報に含まれる部品Ｃの部品数を用いて、削除された各部品の個数を算出する。図２９の例では、製品Ｓ１に対する部品Ｃの部品数は２個である。また、図２８のＥ／Ｆより、親部品Ｃに対する子部品Ｇの部品数は２個であるので、削除された部品Ｇの数は、２×２＝４個と計算できる。同様に、図２８のＥ／Ｆより、親部品Ｇに対する子部品Ｄの部品数は２個であるので、削除された部品Ｄの数は、４×２＝８個と計算できる。同様に、図２８のＥ／Ｆより、親部品Ｇに対する子部品Ｈの数は１個であるので、削除された部品Ｈの数は、４×１＝４個と計算できる。
【００４１】
そして、生成部５１は、削除された部品に対応するレコード情報を生成する。図３０に示すように、生成部５１は、削除された部品Ｇに対応するレコード情報（部品Ｇを識別する部品情報と、製品Ｓ１を識別する製品情報と、部品Ｇの使用個数「４」とが対応付けられた情報）と、削除された子部品Ｄに対応するレコード情報（部品Ｄを識別する部品情報と、製品Ｓ１を識別する製品情報と、部品Ｄの使用個数「８」とが対応付けられた情報）と、削除された子部品Ｈに対応するレコード情報（部品Ｈを識別する部品情報と、製品Ｓ１を識別する製品情報と、部品Ｈの使用個数「４」と、が対応付けられた情報）と、を生成する。
【００４２】
次に、第１設定部５２は、既存の台帳データのうち、削除された部品と同一の部品に対応するレコード情報に含まれる部品数と、生成部５１により生成されたレコード情報に含まれる部品数との減算を行って、既存の台帳データのうち、削除された部品と同一の部品に対応するレコード情報と、生成部５１により生成されたレコード情報とを組み合わせたレコード情報を設定する。図３１は、既存の台帳データのうち、削除された部品と同一の部品である部品Ｇ、部品Ｄおよび部品Ｈの各々に対応するレコード情報を示す図である。第１設定部５２は、既存の台帳データのうち、削除された部品と同一の部品である部品Ｇに対応するレコード情報に含まれる部品数「４」と、生成部５１により生成された部品Ｇに対応するレコード情報に含まれる部品数「４」とを減算し、両者を組み合わせた部品Ｇに対応するレコード情報を設定する。この場合、減算結果が０となるので、部品Ｇに対応するレコード情報は設定されない（図３２参照）。
【００４３】
同様に、第１設定部５２は、既存の台帳データのうち、削除された部品と同一の部品である部品Ｄに対応するレコード情報に含まれる部品数「１０」と、生成部５１により生成された部品Ｄに対応するレコード情報に含まれる部品数「８」とを減算し、両者を組み合わせた部品Ｄに対応するレコード情報を設定する（図３２参照）。同様に、第１設定部５２は、既存の台帳データのうち、削除された部品と同一の部品である部品Ｈに対応するレコード情報に含まれる部品数「４」と、生成部５１により生成された部品Ｈに対応するレコード情報に含まれる部品数「４」とを減算し、両者を組み合わせた部品Ｈに対応するレコード情報を設定する。この場合、減算結果が０となるので、部品Ｈに対応するレコード情報は設定されない（図３２参照）。図３２の例では、第１設定部５２により設定された各レコード情報には、レコード情報を新たに追加する更新を行ったタイミングを示す情報として、発生ＥＣＮ「４０」が設定される。
【００４４】
また、第２設定部５３は、既存の台帳データのうち、削除された部品と同一の部品に対応するレコード情報を無効に設定する。より具体的には、図３３に示すように、既存の台帳データのうち、削除された部品と同一の部品である部品Ｇに対応するレコード情報、部品Ｄに対応するレコード情報、および、部品Ｈに対応するレコード情報の各々に対して、打切ＥＣＮ「４０」が設定される。以上より、第２更新部５０による更新後の台帳データは、図３４のようになる。
【００４５】
なお、本実施形態では、上述の情報処理装置１には、ＣＰＵ、ＲＯＭおよびＲＡＭ等を有するコンピュータが搭載され、ＣＰＵがＲＯＭ等に格納されたプログラムをＲＡＭ上に展開して実行することにより、上述の各部の機能（検索部３０、第１更新部４０、第２更新部５０）が実現される。ただし、これに限らず、上述の各部の機能のうちの少なくとも一部が専用のハードウェア回路で実現される形態であってもよい。
【００４６】
以上、本発明の実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４７】
なお、上述の情報処理装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４８】
さらに、上述の情報処理装置１で実行されるプログラムを、インターネット等のネットワークに接続されたコンピュータ上に格納し、ネットワーク経由でダウンロードさせることにより提供するように構成してもよい。また、上述の情報処理装置１で実行されるプログラムをインターネット等のネットワーク経由で提供または配布するように構成してもよい。
【符号の説明】
【００４９】
１  情報処理装置
１０  第１記憶部
２０  第２記憶部
３０  検索部
４０  第１更新部
５０  第２更新部
５１  生成部
５２  第１設定部
５３  第２設定部
【先行技術文献】
【特許文献】
【００５０】
【特許文献１】特開２００６−２３５８３４号公報
【図１】
2014056432.tif 000003
【図２】
2014056432.tif 000004
【図３】
2014056432.tif 000005
【図４】
2014056432.tif 000006
【図５】
2014056432.tif 000007
【図６】
2014056432.tif 000008
【図７】
2014056432.tif 000009
【図８】
2014056432.tif 000010
【図９】
2014056432.tif 000011
【図１０】
2014056432.tif 000012
【図１１】
2014056432.tif 000013
【図１２】
2014056432.tif 000014
【図１３】
2014056432.tif 000015
【図１４】
2014056432.tif 000016
【図１５】
2014056432.tif 000017
【図１６】
2014056432.tif 000018
【図１７】
2014056432.tif 000019
【図１８】
2014056432.tif 000020
【図１９】
2014056432.tif 000021
【図２０】
2014056432.tif 000022
【図２１】
2014056432.tif 000023
【図２２】
2014056432.tif 000024
【図２３】
2014056432.tif 000025
【図２４】
2014056432.tif 000026
【図２５】
2014056432.tif 000027
【図２６】
2014056432.tif 000028
【図２７】
2014056432.tif 000029
【図２８】
2014056432.tif 000030
【図２９】
2014056432.tif 000031
【図３０】
2014056432.tif 000032
【図３１】
2014056432.tif 000033
【図３２】
2014056432.tif 000034
【図３３】
2014056432.tif 000035
【図３４】
2014056432.tif 000036